(57)【要約】【課題】ユーザからアルバム作成依頼を受ける都度新規にクリエイター（選曲者）に選曲を依頼して世界で唯一のアルバムを提供するビジネスモデルを提案する。【解決手段】通信ネットワークに接続されたアルバムクリエイトサーバを用いて、少なくともユーザが指定する選曲者の情報を受け取るステップと、前記ユーザの指定に係る選曲者に選曲を依頼するステップと、当該選曲者が作成した楽曲リストを受け取るステップと、前記楽曲リストに挙げられた楽曲の音楽データを用意するステップと、用意した音楽データを前記ユーザに提供するステップとを実行する。【選択図】        図２
2004198763.tif 000002
【特許請求の範囲】
【請求項１】
通信ネットワークを介してユーザ端末に接続された音楽アルバム作成システムであって、複数の音楽データが登録された音楽データベースと、前記ユーザ端末からユーザが希望する選曲者の情報を受け付ける手段と、前記ユーザの希望に係る選曲者にアルバムの選曲を依頼する手段と、当該選曲者が選曲した楽曲リストを受け付ける手段と、この楽曲リストに基づき前記音楽データベースから音楽データを抽出しアルバムとして組み立てる手段と、組み立てた音楽データをユーザへ提供する手段と、を備えることを特徴とする音楽アルバム作成システム。
【請求項２】
請求項１に記載のシステムにおいて、前記選曲者から楽曲リストを受け付ける手段がさらに、過去に受け付けた楽曲リストの履歴を保存する手段と、今回受け付けた楽曲リストの内容が過去に保存された履歴のいずれかと所定レベル以上で一致するか否かを判定する手段と、所定レベル以上で一致する場合に前記選曲者に再選曲を促す手段と、を備えることを特徴とする音楽アルバム作成システム。
【請求項３】
請求項１または２に記載のシステムにおいて、複数の選曲者の情報が登録された選曲者データベースを備えるとともに、前記ユーザ端末から選曲者の情報を受け付ける手段は、前記選曲者データベースの登録内容を前記ユーザ端末に送信して選択を促すことを特徴とする音楽アルバム作成システム。
【請求項４】
請求項１ないし３のいずれかに記載のシステムにおいて、前記ユーザ端末から情報を受け付ける手段は、前記ユーザが希望する選曲者の情報とともに当該ユーザが希望するアルバムのイメージに関する１以上のキーワードを受け取るとともに、前記選曲者に依頼する手段は、当該選曲者に前記キーワードを通知することを特徴とする音楽アルバム作成システム。
【請求項５】
請求項１ないし４のいずれかに記載のシステムにおいて、前記音楽データをユーザへ提供する手段は、前記組み立てた音楽データを記録媒体に格納してユーザに提供するか、前記組み立てた音楽データを前記通信ネットワークを介して前記ユーザ端末に送信することを特徴とする音楽アルバム作成システム。
【請求項６】
請求項１ないし５のいずれかに記載のシステムにおいて、前記選曲者に選曲を依頼する手段は、前記ユーザ端末から複数の選曲者の希望があった場合に、前記ユーザが指定する各選曲者の優先順位、曲数、時間のいずれか１以上の情報に基づいて各選曲者に依頼を行うことを特徴とする音楽アルバム作成システム。
【請求項７】
通信ネットワークを介して、少なくともユーザが指定する選曲者の情報を受け取るステップと、前記ユーザの指定に係る選曲者に選曲を依頼するステップと、当該選曲者が作成した楽曲リストを受け取るステップと、前記楽曲リストに挙げられた楽曲の音楽データを用意するステップと、用意した音楽データを前記ユーザに提供するステップと、を備えることを特徴とする音楽アルバム作成方法。
【請求項８】
請求項７に記載の方法において、当該ユーザに提供した楽曲リストの履歴を保存するステップを含むとともに、前記選曲者から楽曲リストを受け取るステップは、当該楽曲リストの内容が過去に保存された履歴のいずれか１と所定レベル以上で一致する場合に、前記選曲者に再選曲を促すステップを含むことを特徴とする音楽アルバム作成方法。
【請求項９】
請求項７または８に記載の方法において、前記ユーザから情報を受け取るステップは、当該ユーザが希望するアルバムのイメージに関する１以上のキーワードを受け取るとともに、前記選曲を依頼するステップは選曲者に前記キーワードを通知することを特徴とする音楽アルバム作成方法。
【請求項１０】
請求項７ないし９のいずれかに記載の方法において、前記音楽データをユーザに提供するステップは、前記音楽データを記録媒体に格納して前記ユーザに送付するか、前記通信ネットワークを介してユーザの通信端末へダウンロードさせるかのいずれかであることを特徴とする音楽アルバム作成方法。
【請求項１１】
請求項７ないし１０のいずれかに記載の方法において、前記選曲者から楽曲リストを受け取るステップは、当該リストを前記ユーザに一旦提示して了承を得るステップを含むことを特徴とする音楽アルバム作成方法。
【請求項１２】
請求項７ないし１１のいずれかに記載の方法において、前記選曲者に選曲を依頼するステップは、前記ユーザ端末から複数の選曲者の希望があった場合に、前記ユーザが指定する各選曲者の優先順位、曲数、時間のいずれか１以上の情報に基づいて各選曲者に依頼を行うことを特徴とする音楽アルバム作成方法。
【請求項１３】
請求項７ないし１２のいずれかに記載の方法をコンピュータに実行させることを特徴とする、コンピュータ読み取り可能な音楽アルバム作成処理プログラム。
【発明の詳細な説明】
【０００１】
【発明の属する技術分野】
本発明は音楽アルバム作成システム、音楽アルバム作成方法、音楽アルバム作成処理プログラムに関し、特に、通信ネットワークを介してユーザに世界で唯一の音楽アルバムを提供できるようにしたシステム、方法、およびプログラムに関する。
【０００２】
【従来の技術】
この種の技術の従来例として、ネットワーク上の音楽サイトからユーザが希望する楽曲データを一括して配信できるようにした楽曲データ配信方法及びシステムがある（例えば、特許文献１）。このシステムによれば、ユーザは複数の楽曲データを任意に選択しセットとしてダウンロードすることができる。
【０００３】
また、特定のアーティストが特定のイメージに合致するとして編集した複数の音楽再生データをまとめてダウンロードできるようにした装置がある（例えば、特許文献２）。この技術では、予めアーティスト、タレント、モデル等の特定の人物が特定のイメージに合致するとの条件下で選択した複数の曲の音楽再生データの識別情報をグループ化して格納しており、ユーザの指定する人物やイメージのキーワードに合わせて当該人物が推薦する曲をまとめてダウンロードすることが可能である。
【０００４】
また、イメージにより選曲するようにした音楽再生装置や、インターネットを介してイメージにあう楽曲を編集してコンパクトディスク等の記録媒体に格納してユーザに提供するようにした装置及びプログラム格納媒体もある（例えば、特許文献３、特許文献４）。
【０００５】
【特許文献１】
特開２００１−１７５６７９号公報（段落０００７）
【特許文献２】
特開２００１−３３７６８４号公報（段落０００８）
【特許文献３】
特開平０１−２１７７８３号公報
【特許文献４】
特開平１０−２２２５３７号公報
【０００６】
【発明が解決しようとする課題】
しかしながら、特許文献２に記載の方法では、憧れのアーティスト等が選曲してくれたアルバムを得ることができるが、その人物が選曲した楽曲の組み合わせは予め用意されたものであり、購入者毎に世界で唯一のアルバムを入手できるという性質のものではない。すなわち、同じ人物と同じキーワードを用いれば何度でも同じ楽曲の組み合わせが提示され、誰にでも同じアルバムが提供されることになる。これでは、憧れの人物が選曲した世界で唯一のアルバムを入手するという満足感が得られないことになる。
【０００７】
また、特許文献２以外の従来例では、アルバムに含める楽曲をユーザが直接指定したり、イメージに合う楽曲のなかからユーザが選択するだけであり、憧れの著名人が推薦する楽曲を楽しむという喜びを得られないことになる。
【０００８】
そこで本発明は、ユーザから希望するイメージや選曲者の情報を受け付け、その都度新規に選曲を依頼することにより楽曲が選択されるようにして、世界で唯一のアルバムを入手できるようにしたシステムや方法を実現することを目的とする。このシステムでは、選曲者が決定した楽曲の組み合わせが過去に存在する場合には再選曲を促すことにより、確実に唯一のアルバムが作成されるようになっている。
【０００９】
【課題を解決するための手段】
この目的を達成すべく、本発明は、通信ネットワークを介してユーザ端末に接続された音楽アルバム作成システムであって、複数の音楽データが登録された音楽データベースと、前記ユーザ端末からユーザが希望する選曲者の情報を受け付ける手段と、前記ユーザの希望に係る選曲者にアルバムの選曲を依頼する手段と、当該選曲者が選曲した楽曲リストを受け付ける手段と、この楽曲リストに基づき前記音楽データベースから音楽データを抽出しアルバムとして組み立てる手段と、組み立てた音楽データをユーザへ提供する手段と、を備えることを特徴とする。
【００１０】
好適な実施例では、これらの各手段は、インターネットに接続されたワークステーションサーバが備えるＣＰＵやメモリ、ハードディスク等のハードウェア構成と、該サーバ上で動作する音楽作成処理プログラムとの協働により実現される。ユーザからの注文毎に選曲者へ選曲依頼を行うようにしたので、同じイメージで同じ選曲者に依頼を行った場合でも必ずしも同じアルバム構成とはならず、当該選曲者が購入者だけのために選曲した唯一のアルバムを提供することができる。
【００１１】
このシステムにおいて、前記選曲者から楽曲リストを受け付ける手段がさらに、過去に受け付けた楽曲リストの履歴を保存する手段と、今回受け付けた楽曲リストの内容が過去に保存された履歴のいずれかと所定レベル以上で一致するか否かを判定する手段と、所定レベル以上で一致する場合に前記選曲者に再選曲を促す手段と、を備えることを特徴とする。
このように、以前に作成されたアルバムと内容が一致する場合には選曲者に再選択を促すことにより、確実に唯一のアルバムをユーザに提供することが可能となる。
【００１２】
また、複数の選曲者の情報が登録された選曲者データベースを備えるとともに、前記ユーザ端末から選曲者の情報を受け付ける手段は、前記選曲者データベースの登録内容を前記ユーザ端末に送信して選択を促すことを特徴とする。予め本システムによるサービスに協力してくれる著名人と契約しておき、ユーザはその一覧から選曲者を選べるようにする。ユーザに提示されるデータベースの登録内容は、本発明の実施例に示すように、ジャンル別に分類された一部を提示するようにしてもよい。
【００１３】
また、前記ユーザ端末から情報を受け付ける手段は、前記ユーザが希望する選曲者の情報とともに当該ユーザが希望するアルバムのイメージに関する１以上のキーワードを受け取るとともに、前記選曲者に依頼する手段は、当該選曲者に前記キーワードを通知することが望ましい。希望するアルバムのイメージを伝えることにより、選曲者によってイメージに沿った選曲が行われるので、ユーザの希望に沿ったアルバムを提供することが可能となる。
【００１４】
前記音楽データをユーザへ提供する手段は、前記組み立てた音楽記録媒体に格納してユーザに提供するか、前記組み立てた音楽データを前記通信ネットワークを介して前記ユーザ端末に送信することができる。提供される音楽データはある程度のデータ量となるので、例えば、大容量通信環境を持たないユーザにはコンパクトディスク等の記録媒体に格納して郵送し、大容量通信環境のユーザには直接ダウンロードにより音楽データを提供するようにする。
【００１５】
さらに、前記選曲者に選曲を依頼する手段は、前記ユーザ端末から複数の選曲者の希望があった場合に、前記ユーザが指定する各選曲者の優先順位、曲数、時間のいずれか１以上の情報に基づいて各選曲者に依頼を行うようにしてもよい。複数の選曲者の共同作業により当該ユーザのために選曲された唯一無二のアルバムを提供することが可能となる。
【００１６】
一方、本願発明に係る方法は、通信ネットワークを介して、少なくともユーザが指定する選曲者の情報を受け取るステップと、前記ユーザの指定に係る選曲者に選曲を依頼するステップと、当該選曲者が作成した楽曲リストを受け取るステップと、前記楽曲リストに挙げられた楽曲の音楽データを用意するステップと、用意した音楽データを前記ユーザに提供するステップと、を備えることを特徴とする。
【００１７】
また、この方法はユーザに提供した楽曲リストの履歴を保存するステップを含むとともに、前記選曲者から楽曲リストを受け取るステップは、当該楽曲リストの内容が過去に保存された履歴のいずれか１と所定レベル以上で一致する場合に、前記選曲者に再選曲を促すステップを含むことを特徴とする。
【００１８】
また、前記ユーザから情報を受け取るステップは、当該ユーザが希望するアルバムのイメージに関する１以上のキーワードを受け取るとともに、前記選曲を依頼するステップは選曲者に前記キーワードを通知することが望ましい。
【００１９】
前記音楽データをユーザに提供するステップは、前記音楽データを記録媒体に格納して前記ユーザに送付するか、前記通信ネットワークを介してユーザの通信端末へダウンロードさせるかのいずれかとして構成することができる。
【００２０】
また、前記選曲者から楽曲リストを受け取るステップは、当該リストを前記ユーザに一旦提示して了承を得るステップを含むことを特徴とする。選曲者が作成した楽曲リストがユーザの気に入らない場合も考えられるため、音楽データをユーザに提供する前に了承を得るようにすると齟齬を回避することができる。
【００２１】
また、前記選曲者に選曲を依頼するステップは、前記ユーザ端末から複数の選曲者の希望があった場合に、前記ユーザが指定する各選曲者の優先順位、曲数、時間のいずれか１以上の情報に基づいて各選曲者に依頼を行うことが望ましい。
【００２２】
さらに本発明は、上記の方法をコンピュータに実行させることを特徴とする、コンピュータ読み取り可能な音楽アルバム作成処理プログラムに関する。このプログラムは上述した音楽アルバム作成システムを構成するネットワーク上のワークステーションサーバにインストールされるものである。このプログラムは、当該プログラムの販売業者からＣＤ−ＲＯＭ等の記録媒体に格納したものを供給されてもよいし、販売業者のサイトからサーバに直接ダウンロードされてもよい。
【００２３】
【発明の実施の形態】
本発明の実施の形態を、添付図面を参照しながら以下に詳細に説明する。図１は、本発明に係るシステムの全体像を示すイメージ図である。図１に示すように、アルバムの購入者（ユーザ）が利用する購入者端末１０と、アルバム作成処理を行うアルバムクリエイトサーバ２０と、アルバムのクリエイター（選曲者）が利用するクリエイター端末３０とがネットワーク４０を介して接続されている。このネットワーク４０は例えばインターネットである。購入者端末１０およびクリエイター端末３０はいずれもパーソナルコンピュータ、携帯電話端末、通信機能付のＰＤＡ等の情報通信端末であり、少なくとも表示画面と入力手段とを備えている。
【００２４】
アルバムクリエイトサーバ２０は、ネットワーク４０に接続されたワークステーションサーバであり、音楽ＤＢ２１と、クリエイターＤＢ２２を備えている。音楽ＤＢ２１には複数の音楽データが、それぞれ曲のイメージを示す「夏、海」等のキーワードに関連づけて登録されている。また、予め曲毎に著作権利用料やその支払先など必要な情報が登録されている。クリエイターＤＢ２２には、本システムの運用に協力する複数の選曲者（アルバムクリエイター）の情報が登録されている。これらクリエイターは音楽アーティスト、タレント、モデル、スポーツ選手などの著名人から本システムの運営者が選択して事前に契約を交わした人物であり、契約時に取得したクリエイター端末３０のメールアドレスや選曲料の支払先情報などがクリエイターＤＢ２２に登録される。
【００２５】
サーバ２０はさらに、注文情報取得手段２３と、クリエイター依頼手段２４と、楽曲リスト受付手段２５と、アルバム作成提供手段２６と、課金分配手段２７とを備えている。実施例では、これらの手段はサーバ２０が備えるＣＰＵや記憶装置、通信ケーブルやディスクドライブ等のハードウェアと、記憶手段からＣＰＵに読み出され実行されるプログラムモジュールとの協働により実現されるものである。
【００２６】
注文情報取得手段２３はユーザ端末１０からのアルバム作成要求を受け付ける。この要求には、ユーザが希望する選曲者の情報と、アルバムのイメージを表すキーワードが含められている。クリエイター依頼手段２４は、ユーザからの要求に基づきクリエイターＤＢ２２を参照し、指定されたクリエイターの端末３０に選曲依頼を送信する。この依頼は電子メール等で行われ、ユーザ端末１０から通知されたキーワードが含められる。また、依頼手段２４は音楽ＤＢ２１に登録されている楽曲のリストをクリエイターに提示して、クリエイターが当該リストから楽曲を選択できるようにする機能を有する。この場合、キーワードに合致する曲のみを抽出してクリエイターに提示することができる。
【００２７】
楽曲リスト受付手段２５は、前記依頼に応じてクリエイターが選曲した楽曲リストをクリエイター端末から受け取る。そして、過去にユーザに提供したアルバムの楽曲リストの履歴が登録されている履歴保存ＤＢ２５ａを参照し、今回受け取った楽曲リストの内容が過去に保存された履歴のいずれかと所定レベル以上で一致するか（例えば、アルバムに含められる１０曲中８曲以上同じ曲を用いているか）を判定し、該当する場合にはクリエイターにその旨および再び選曲し直すように通知する。ここで受け取った楽曲リストの内容が過去の履歴と一致しない場合には、新たな履歴情報として履歴保存ＤＢ２５ａに登録する。また、受け取った楽曲リストを購入者端末１０へ送信し確認をとる機能を有する。
【００２８】
アルバム作成提供手段は、以上のようにして決定された楽曲リストに基づき、音楽ＤＢ２１から該当する音楽データを抽出する。ある実施例では、抽出された音楽データはコンパクトディスク等の記録媒体に納められ、ユーザのもとへ発送される。別の実施例では、楽曲データはネットワーク３０を介して直接購入者端末１０にダウンロードされるようにする。課金分配手段２７は、ユーザに提供されたアルバム情報に基づき、ＤＢ２１およびＤＢ２２を参照して、アルバムに使用した曲の著作権使用料、クリエイターに支払うべき選曲料、記録媒体や郵送料の実費等を勘案し、アルバム料金を算出してユーザへの課金処理を行う。また、ここで算出した著作権使用料や選曲料について、楽曲の著作権管理団体やクリエイターへの支払い処理を行う。
【００２９】
上記システムの動作例を図２以降を参照しながら説明する。図２では、左側に購入者端末１０ないしユーザの処理、中央にアルバムクリエイトサーバ２０の処理、右側にクリエイター端末３０ないしクリエイターの処理を示す。図２に示す実施例の前提として、予め複数のアルバムクリエイターとシステム運用者間で契約がなされており、各クリエイターの情報がクリエイターＤＢ２２に登録されているものとする。また、本システムによるサービスを希望するユーザも事前にサーバ２０にアクセスするためのユーザ登録を行っており、個人情報やクレジットカード番号等と引き替えにユーザＩＤやパスワードが発行されているものとする。さらに音楽ＤＢ２１には、楽曲の著作者または著作権管理団体から本システムで利用してもよいとの了承を得て、複数の楽曲が登録されているものとする。
【００３０】
アルバムの購入を希望するユーザは、購入者端末１０からネットワーク４０上にアルバムクリエイトサーバ２０が公開しているホームページへアクセスし、ＩＤとパスワードを入力する（ステップＳ１）。これに応答して、サーバ２０は図３に示すような入力画面を購入者端末１０に送出する（ステップＳ２）。図３に示すように、入力画面はアルバムタイトル入力欄５１と、複数のコンセプト入力欄５２と、クリエイター選択ウィンドウ５３と、リクエスト入力欄５４と、各種ボタン５５〜５７とを備えている。ユーザは以下のようにしてこの画面に必要な情報を入力する（ステップＳ３）。
【００３１】
ユーザはまずタイトル入力欄５１にアルバムタイトルを入力する。これはユーザの希望する任意の文字列（例えば、「夏の思い出」等）を入力することができる。次にコンセプト入力欄５２に、ユーザの希望するアルバムのイメージを表すキーワードを入力する。これはフリー入力としてもよいし、プルダウンメニューから適宜のキーワードを選択できるようにしてもよい。図３に示す例では、キーワードとして「夏」、「思い出」、「海」がユーザによって指定されている。
【００３２】
次に、アルバムクリエイター選択ウィンドウ５３でクリエイターの指定を行う。これには、クリエイターの名前を直接入力する方式と、一覧から選択する方式とから選ぶことができる。直接入力する場合、ユーザが氏名入力欄５８に名前を入力し検索ボタン５９を押すと、サーバ２０側でクリエイターＤＢ２２が参照され、ＤＢ２２に当該クリエイターが登録されている場合に指定可能となる。一方、一覧からの選択方式では、図３の画面上においてクリエイターのジャンル（芸能界、作家、スポーツ選手、政財界、芸術家等）を選択する。ユーザがいずれかのジャンルをクリックすると、図４に示すような細分類画面が表示され、この画面上でさらにジャンルを絞るようにする。これにより図５に示す画面が表示されるので、ユーザは選曲を依頼したい著名人の名前をクリックして選択可能とする。図３〜図５では大分類でスポーツ選手を選び、細分類で陸上選手を選択した例を示している。
【００３３】
本実施例では、１つのアルバムで複数のクリエイターを指定することを可能としている。複数のクリエイターを指定する場合には、クリエイター選択ウィンドウ５３右下に表示されている曲数または時間の指定欄６０にて、クリエイター毎に選曲を希望する曲数あるいは時間を指定するようにする。このように購入者がクリエイターを指名して指名ボタン５５を押すと、図３の画面右下に選択されたクリエイターが表示される。
【００３４】
リクエスト入力欄５４は、ユーザがシステム運営者への要求をフリー入力する欄である。図３の実施例では、例えば自分の希望する人物がＤＢ２２に存在しないため指定できない場合などに、当該人物をクリエイターとして登録して欲しい旨を要求している。システム運営者は、リクエスト度数が高い要求を考慮し導入を検討することができる。
【００３５】
ユーザはすべての入力が完了したら、決定ボタン５６を押下する。これを受けてサーバ２０の注文情報取得手段２３は、選択および入力情報の最終確認画面を購入者端末１０に送出し、購入者がこの画面を確認したら送信ボタンを押下する（図示せず）。これにより、入力情報がサーバ２０に送出される（図２ステップＳ４）。
【００３６】
アルバムクリエイトサーバ２０の注文情報取得手段２３は、ユーザからの注文情報を受け取り、内容を確認してクリエイター依頼手段２４に通知する。依頼手段２４はクリエイターＤＢ２２からユーザの指定に係るクリエイターのメールアドレスを抽出し、当該クリエイターに電子メール等の手段で選曲依頼を通知する（ステップＳ５）。この選曲依頼には、ユーザから指定されたコンセプトキーワード、当該クリエイターの選曲を希望する曲数または時間等の必要な情報が含められる。また、依頼手段２４はクリエイター端末３０からサーバ２０の音楽ＤＢ２１を参照できるようにして、クリエイターがキーワード検索によりユーザのイメージに沿う楽曲を選択できるようにする。この場合、予めキーワードに合致する曲のみをリストアップしてクリエイターに提示するようにしてもよい。
【００３７】
依頼を受けたアルバムクリエイターは、クリエイター端末３０からサーバ２０の音楽ＤＢ２１にアクセスし、登録されている楽曲のなかから依頼内容のコンセプトに沿った選曲を行って楽曲リストを作成し（ステップＳ６）、これをサーバ２０に送信する（ステップＳ７）。この作業は、図示しないが、例えば依頼手段２４が用意した選曲画面上にて、楽曲毎に付与されたコード番号およびその順番を指定し、最後に決定ボタンを押下することにより実現できる。この選曲画面は、クリエイターが音楽ＤＢ２１の登録曲を視聴できるように構成してもよい。
【００３８】
ユーザが図３の画面上で複数のクリエイターを指定している場合は各クリエイターに選曲が依頼されることになるが、ここで各クリエイターの選曲内容が重複しないようにする工夫が必要である。これは例えば、優先順位の高いクリエイターから依頼を出し、選曲リストを受け取ってから当該リストを添付して次のクリエイターに依頼を出すようにしたり、各クリエイターに同時に依頼を出すが、選曲結果が重複していたら優先順位の低いクリエイターにその旨を告げて再選曲を促すようにしたりすることができる。
【００３９】
クリエイターが楽曲を選択し決定した楽曲リストは、サーバ２０の楽曲リスト受付手段２５に受信される。この受信手段２５は楽曲リストを受信すると、履歴保存ＤＢ２５ａを参照して、受け取った楽曲リストの内容が過去に保存された履歴のいずれか１と所定レベル以上で一致するか否かを検証する（ステップＳ８）。この検証により過去の履歴と一致する場合には、クリエイター端末３０にその旨および再選曲を行うよう通知する（再びステップＳ６へ）。この一致判定のレベルは実施例により適宜決定することができるが、例えば楽曲リストにある１０曲中８曲以上同じ曲を使用しているアルバムが過去に提供されている場合に一致すると設定することができる。楽曲リスト受付手段２５はまた、選曲数や一曲あたりの演奏時間をチェックし、合計時間がアルバム一枚分を満たすかを確認する。もしこれらの条件を満たしていなければ、メール等でクリエイターに再度通知する。楽曲リストの選曲内容が条件を満たしている場合には、ユーザの確認を得るために購入者端末１０に楽曲リストを送信する（ステップＳ９）。
【００４０】
ユーザは楽曲リストを購入者端末１０に表示し選曲内容を確認する。このアルバムの購入を決定した場合は画面上の購入ボタン（図示せず）を押下してサーバ２０に購入意志を伝達する（ステップＳ１０）。この画面上では、ユーザは再び選曲し直してもらうことや、クリエイターの再指定を選択できるようにしてもよい。その場合、楽曲リスト受付手段２５は購入者端末１０からの通知内容に応じて、再び選曲依頼をクリエイターに通知したり（ステップＡ６へ）、図３に示す入力画面を購入者端末に送信するようにする（ステップＡ２へ）。ただし、この場合でもクリエイターへが既に行った選曲分の料金が課金されることを通知し、了解を得て課金処理を行うようにする。
【００４１】
購入者端末１０からの購入意志通知を受け取ったサーバ２０は課金分配手段２７に通知する。課金分配手段は、楽曲リストに基づいてＤＢ２１、２２を参照して、著作権使用料、クリエイターへの選曲料、その他の実費等を勘案してアルバム料金を算出し、購入用画面を作成して購入者端末１０に送信する（ステップＳ１１）。また、楽曲リスト受付手段２５からクリエイター端末３０に依頼内容の終了が報告される（ステップＳ１２）。
【００４２】
ユーザは端末１０に購入用画面を表示し（ステップＳ１３）、必要事項を入力してサーバ２０へ送信する（ステップＳ１４）。この入力情報には、ユーザの住所氏名、支払い方法、ＣＤまたはダウンロードいずれの方法での受け取りを希望するか等の情報が含まれる。サーバ２０のアルバム作成手段２６は、ユーザがＣＤを指定する場合には音楽ＤＢ２１から楽曲データを抽出してＣＤに書き込み、ユーザへの発送処理を行う。また、ユーザがダウンロードを希望する場合には楽曲データを圧縮してダウンロードの設定を行い、準備ができたら購入者端末１０に通知する（ステップＳ１６）。ユーザはこれを受けてＣＤの受領またはアルバムデータのダウンロードを行う（ステップＳ１７）。サーバ２０の課金分配手段２７はその後、ステップＳ１１で算出したアルバム料金をユーザに課金するとともに、著作権使用料や選曲料について、楽曲の著作権管理団体やクリエイターへの支払い処理を行う（ステップＳ１８）。
【００４３】
本発明の一実施例について詳細に説明したが、本発明の技術的範囲は上記の実施例に限られるものではなく、技術的思想として同一の範囲内で他の様々な実施例として実現できることは明らかである。特に、図３に示す入力画面での指定事項は上記実施例のものに限られず、例えばユーザがアルバムに含めて欲しい曲を直接指定できるようにしたりすることができる。また、楽曲リスト受付手段２５が行う一致判定（ステップＳ８）は上記の例に限られず、実施例ごとに異なってもよい。
【００４４】
【発明の効果】
以上に説明したように、本発明では、ユーザからの注文毎に選曲者へ選曲依頼を行うようにしたので、同じイメージで同じ選曲者に依頼を行った場合でも同じアルバム構成とはならず、当該選曲者が購入者だけのために選曲した唯一のアルバムを提供することができる。また、以前に作成されたアルバムと内容が一致する場合には選曲者に再選択を促すようにしているので、確実に唯一のアルバムをユーザに提供することができる。
【図面の簡単な説明】
【図１】本発明に係るシステム全体を示すイメージ図である。
【図２】本発明に係る方法の一実施例を説明するためのフロー図である。
【図３】購入者端末に表示される入力画面の一例である。
【図４】購入者端末に表示される選択ウィンドウの一例である。
【図５】購入者端末に表示される選択ウィンドウの一例である。
【符号の説明】
１０・・・購入者端末
２０・・・アルバムクリエイトサーバ
２１・・・音楽データベース
２２・・・クリエイターデータベース
２３・・・注文情報取得手段
２４・・・クリエイター依頼手段
２５・・・楽曲リスト受付手段
２５ａ・・履歴保存データベース
２６・・・アルバム作成提供手段
２７・・・課金分配手段
３０・・・クリエイター端末
４０・・・ネットワーク
【図１】
2004198763.tif 000003
【図２】
2004198763.tif 000004
【図３】
2004198763.tif 000005
【図４】
2004198763.tif 000006
【図５】
2004198763.tif 000007